(57)【要約】【課題】  狭ピッチ化を可能とするとともに不良率を低減させて製造可能に構成されるコネクタを提供する。【解決手段】  複数の芯線１１を備えて構成されるケーブルＣと、ピン状に形成されるとともに中間部に圧着部２１ａを一体に備えて複数の芯線１１のそれぞれを圧着保持する複数のコンタクト２１と、略矩形筒状に形成されて複数のコンタクト２１を平行に整列させて保持するハウジング３とを有して構成され、ハウジング３内に圧着部２１ａをそれぞれ受容する圧着部受容部３１ａを設けるとともに、複数のコンタクト２１のそれぞれに軸方向直角に突出して係止片２１ｂが設けられ、ハウジング３に係止片２１ｂをそれぞれ係止させるための収容部３１ｂが設けられており、芯線１１を圧着保持した圧着部２１ａをそれぞれ圧着部受容部３１ａに受容させるとともに、これら係止片２１のそれぞれを収容部３１ｂに係止させることによって複数のコンタクト２１をハウジング３に保持するように構成している。【選択図】  図２
0003104536.tif 000002
【実用新案登録請求の範囲】
【請求項１】
複数の芯線を備えて構成されるケーブルと、
ピン状に形成されるとともに、前記複数の芯線のそれぞれを圧着保持する圧着部を一体に備える複数のコンタクトと、
略矩形筒状に形成されて内部に前記複数のコンタクトを整列させて保持するハウジングとを有して構成されるコネクタにおいて、
前記ハウジング内に前記圧着部を受容する圧着部受容部が設けられるとともに、
前記複数のコンタクトのそれぞれに軸直角方向に突出して係止片が設けられ、前記ハウジング内に前記係止片をそれぞれ係止させるための収容部が設けられており、
前記芯線を圧着保持した前記圧着部を前記圧着部受容部に受容させるとともに、前記係止片をそれぞれ前記収容部に係止させて前記複数のコンタクトを前記ハウジング内に保持するように構成されることを特徴とするコネクタ。
【請求項２】
前記ハウジングが、上下の半体を組み合わせて構成されており、
前記係止片が前記複数のコンタクトからそれぞれ上方に突出して設けられ、前記収容部が上側の前記半体に設けられており、
上方に突出する前記係止片をそれぞれ上側の前記半体に設けた前記収容部に係止させて前記複数のコンタクトを前記ハウジング内に保持するように構成されることを特徴とする請求項１に記載のコネクタ。
【請求項３】
前記ハウジングが、上下の半体を組み合わせて構成されるとともに、前記コンタクトを固定する固定部材を前記上下の半体を組み合わせて形成される収容空間内に介設して構成されており、
前記複数のコンタクトのうち一部のコンタクトに上方に突出して係止片が設けられ、残りのコンタクトに下方に突出して係止片が設けられ、
前記固定部材の上面に下方に突出する前記係止片を係止させる収容部が設けられ、下面に上方に突出する前記係止片を係止させる収容部が設けられており、
前記上方に突出する係止片をそれぞれ前記固定部材の下面に設けた前記収容部に係止させ、前記下方に突出する係止片をそれぞれ前記固定部材の上面に設けた前記収容部に係止させて前記複数のコンタクトを前記ハウジング内に保持するように構成されることを特徴とする請求項１に記載のコネクタ。
【請求項４】
前記ハウジングが、上下の半体を組み合わせて構成されており、
前記複数のコンタクトにそれぞれ左右方向に突出して前記係止片が設けられ、
上側の前記半体に前記複数のコンタクトの一部のコンタクトの係止片を係止させる収容部が設けられ、下側の前記半体に前記複数のコンタクトの残りのコンタクトの係止片を係止させる収容部が設けられており、
前記係止片を前記収容部に係止させて前記複数のコンタクトを前記ハウジング内に保持するように構成されることを特徴とする請求項１に記載のコネクタ。
【請求項５】
前記ケーブルは、前記複数の芯線のそれぞれに絶縁材で成型される絶縁被覆を被覆して構成されており、
前記複数の芯線がそれぞれ前記絶縁被覆により被覆された状態の前記ケーブルを、前記上下の半体を組み合わせたときに前記ハウジング内に受容保持するように構成されることを特徴とする請求項２〜４に記載のコネクタ。
【考案の詳細な説明】
【技術分野】
【０００１】
本考案は、複数の芯線とそれぞれ圧着により接続される複数のピン状のコンタクトと、コンタクトを収容保持するハウジングとを備えて構成されるコネクタの構造に関し、さらに詳しくは、コンタクトとハウジングとの組付方法に関する。
【背景技術】
【０００２】
上記コネクタは、例えばＵＳＢコネクタ等のように、ケーブルの被覆を剥がして芯線が露出する状態とし、高導電性金属が鍍金されてピン状に形成される複数のコンタクトにこの露出する芯線をそれぞれ接続し、絶縁材で形成されるハウジングにこれら複数のコンタクトを整列させた状態で保持して構成される。また、芯線とコンタクトとを接続する方法としては、従来から半田付けあるいは圧着が採用されている。
【０００３】
従来の圧着による接続は、コンタクトの根元部および中間部に圧着部を一体に設け、中間部の圧着部で被覆を剥がした芯線を圧着して接続状態とするとともに、根元部の圧着部でケーブルを被覆の上から圧着することによってケーブルを挟持固定している。
【考案の開示】
【考案が解決しようとする課題】
【０００４】
ところで近年、ノートパソコン等の電子機器の軽薄短小化が急速に進んでおり、これら電子機器に実装される種々のコネクタの小型化、狭ピッチ化が図られている。しかしながら、従来のようにコンタクトの根元部でケーブルを被覆の上から圧着して固定する方法によれば、中間部の圧着部で行われる芯線のみを圧着する場合よりも、芯線の外周に設けられる被覆分だけ大きく寸法を確保する必要があり、近年高まる小型化、狭ピッチ化に対する要請に対応した設計が困難となっているという問題があった。
【０００５】
一方、ケーブルとコンタクトとを半田付けによって接続する場合においては、ケーブル毎に溶接作業を必要とするため作業工程数が増加する。さらに、ケーブル毎の接続状態が一定となるようにケーブル毎に均一に半田を溶着させる必要があることから、圧着による接続と比較して不良率が高くなりがちであり、品質管理が困難となるという問題がある。
【０００６】
本考案は上記問題に鑑み、狭ピッチ化を可能とするとともに、不良率を低減して製造可能なコネクタを提供することを目的とする。
【課題を解決するための手段】
【０００７】
上記目的達成のため本発明に係るコネクタは、複数の芯線を備えて構成されるケーブルと、ピン状に形成されるとともに複数の芯線のそれぞれを圧着保持する圧着部を一体に備える複数のコンタクトと、略矩形筒状に形成されて複数のコンタクトを整列させて保持するハウジングとを有して構成されるコネクタにおいて、ハウジング内に圧着部をそれぞれ受容する圧着部受容部を設けるとともに、複数のコンタクトのそれぞれに軸方向直角に突出して係止片を設け、ハウジングに係止片をそれぞれ係止させるための収容部を設けており、芯線を圧着保持した圧着部をそれぞれ圧着部受容部に受容させるとともに、係止片をそれぞれ収容部に係止させて複数のコンタクトをハウジングに固定するように構成している。
【０００８】
なお、ハウジングを上下の半体を組み合わせて構成し、係止片をコンタクトから上方に突出して設け、係止孔を上側の半体に設け、上方に突出する係止片をそれぞれ上側の半体に設けた収容部に係止させて複数のコンタクトをハウジングに保持するように構成することが好ましい。
【０００９】
また、ハウジングを上下の半体を組み合わせて構成し、コンタクトを固定保持するための固定部材をこれら上下の半体を組み合わせて略矩形筒状に形成される収容空間内に介設し、複数のコンタクトのうち一部のコンタクトに上方に突出して係止片を設け、残りのコンタクトに下方に突出して係止片を設け、固定部材の上面に下方に突出する係止片を係止させる収容部を設け、下面に上方に突出する係止片を係止させる収容部を設け、上方に突出する係止片をそれぞれ固定部材の下面に設けた収容部に係止させ、下方に突出する係止片をそれぞれ固定部材の上面に設けた収容部に係止させて複数のコンタクトをハウジング内に保持するように構成してもよい。
【００１０】
さらに、ハウジングを上下の半体を組み合わせて構成し、複数のコンタクトにそれぞれ左右方向に突出して係止片を設け、上側の半体に複数のコンタクトの一部のコンタクトの係止片を係止させる収容部を設け、下側の半体に複数のコンタクトの残りのコンタクトの係止片を係止させる収容部を設け、係止片を上下の半体のいずれかに設けた収容部に係止させて複数のコンタクトをハウジング内に保持するように構成してもよい。
【００１１】
なお、上記した各コネクタは、複数の芯線のそれぞれに絶縁材で成型される絶縁被覆を被覆してケーブルを構成し、複数の芯線がそれぞれ絶縁被覆により被覆された状態のケーブルを上下の半体を組み合わせたときにハウジング内に受容保持させるように構成することが好ましい。
【考案の効果】
【００１２】
このようなコネクタにおいては、ピン状に形成したコンタクトに一体に設けた圧着部で芯線を圧着して接続状態とし、芯線と接続状態とした圧着部をハウジング内に設けた圧着部受容溝に受容させるとともに、コンタクトに軸方向直角に突出して設けた係止片をハウジング内に設けた収容部に係止させて保持する構成としており、被覆状態のケーブルを挟持固定するための圧着部を設けず構成している。このため、従来は根元部に被覆状態のケーブルを挟持する圧着部を設けるために確保していた寸法を省略して設計することができ、ピン整列方向のサイズ狭小化を図ることができる。
【００１３】
なお、本考案に係るコネクタは、コンタクトに一体に設けた圧着部での圧着によりケーブルとコンタクトとを接続し、この圧着部のハウジング内に設けた圧着部受容部への受容、コンタクトに設けた係止片とハウジングに設けた収容部との係止によりコンタクトとハウジングとを固定する構成としている。このように、半田付け工程を必要としないことから、不良率を低減してコネクタを製造することができる。
【００１４】
また、ハウジング内にコンタクトを固定保持するための固定部材を介設し、固定部材の上下両面に複数のコンタクトのいずれかを係止させる構成により、上下にピンをずらした状態でコンタクトを配設でき、ピン整列方向に対してコネクタ全体としてのサイズ小型化を図ることができる。
【００１５】
なお、絶縁被覆で被覆した状態のケーブルを上下の半体を組み合わせたときにハウジング内に受容保持する構成により、ピン根元部でのケーブル圧着を省略してコネクタを構成しても、ケーブル、コンタクト、及びハウジングとをしっかりと固定することができる。
【考案を実施するための最良の形態】
【００１６】
以下、図面を参照して本考案の実施の形態について説明する。
【実施例１】
【００１７】
まず第１の実施例における本考案に係るコネクタについて、図１〜図４を参照して説明する。図１に本考案に係るコネクタを端部に取り付けたＵＳＢケーブルを示しており、このＵＳＢケーブルＵ１は、ケーブルＣの一端に本考案に係るコネクタＣＮ１が取り付けられ、他端にＵＳＢコネクタＣＮ１０を備えており、ケーブルＣに円筒状のノイズフィルタＦを介設して構成されている。
【００１８】
ケーブルＣは、図２に示すように中央部に配設される４本の被覆電線１の周囲を、極細電線を網状に編み組んで形成されるシールド線１３、絶縁材からなるシース１４を被覆して構成されている。また、それぞれの被覆電線１は、複数本の極細電線を縒り合わせて作られる芯線１１の周囲に熱収縮性の絶縁材からなる絶縁被覆１２を被覆して構成されている。
【００１９】
本考案に係るコネクタＣＮ１は、各被覆電線１の芯線１１と圧着によって接続されるコンタクト２と、コンタクト２を左右方向に１列に整列させて保持するハウジング３と、ハウジング３を収容するとともにリセプタクル１００の挿入口に挿入可能に形成されるシェル４と、シェル４の前端部４ａを露出させた状態で外側を覆って設けられる外ハウジング５とからなる。
【００２０】
コンタクト２は、それぞれが例えば黄銅等の金属材をピン状に形成して金等の高導電性金属を鍍金して成型される４本のピン２１からなり、各ピンの中間部の下面には、芯線１１を圧着保持するための圧着部２１ａが設けられている。また、各ピン上面には上方に突出して係止片２１ｂが設けられ、さらに先端部２１ｃにおいても上方に屈曲されて爪状に形成されている。
【００２１】
上記ピン２１を収容するハウジング３は、略平板状に形成される上ハウジング３１と、後面および上面を開放して形成される下ハウジング３２とを組み合わせて構成され、上下ハウジング３１，３２とも例えばＰＢＴ樹脂等の絶縁材を射出成型等の成型手段を用いることによって成型される。これら上下ハウジング３１，３２を組み合わせた状態とすると、図３に示すように上ハウジング３１が下ハウジングの凹部３２ａを覆うとともに前端が突出した状態となってハウジング３が構成される。また、上ハウジング３１の下面には、それぞれ凹状に形成されて４本のピン２１の圧着部２１ａをそれぞれ受容する圧着部受容部３１ａ、ピン２１の圧着部２１ａから先端部２１ｃまで延びる部分である中間片２１ｄを受容するためのピン受容溝３１ｄ、上方に屈曲する先端部２１ｃを受容するための先端受容部３１ｃが設けられるとともに、各ピンに設けた係止片２１ｂを収容して係止させる係止孔３１ｂ（請求の範囲における「収容部」に相当）が上下面を貫通して設けられている。さらに、上ハウジング３１の上面には、側断面視台形状に突出する突出部３１ｅが設けられており、同様にして下ハウジング３２の下面においても同形状の突出部３２ｅ（図３参照）が設けられている。
【００２２】
シェル４は、上面および左右側壁を有して上面後端から後方に突出する突出片４１ｄを設けて形成される上シェル４１を、略矩形筒状の収容空間とこの収容空間の後端に左右に延びる圧着片４２ｄとが一体に設けられる下シェル４２に嵌め込んで構成されており、両シェル４１，４２ともに例えばニッケル等を鍍金した鋼板材等の金属材にプレス加工等の加工成型手段を施すことによって成型される。また、上シェル４１の左右側壁に設けられた矩形状の収容孔４１ａ，４１ｂ（反対側壁の図示略）に下シェル４２の左右側壁に設けられた矩形状の突出部４２ａ，４２ｂ（同略）を係合させ、上シェル４１の前端辺の一部が下方に折曲されて設けられた係止爪４１ｃを下シェル４２の上面に設けられたスリット４２ｃに係止させることにより両シェル４１，４２が組み付けられる。また、下シェル４２の上面および下面のそれぞれには、上ハウジングの突出部３１ｅおよび下ハウジングの突出部３２ｅをちょうど収容するために切り起こされてルーバ部４２ｅ，４２ｅが設けられている（図３を併せて参照）。さらに、上シェル４１の後端には後方に突出する突出片４１ｄが設けられている。
【００２３】
上記構成部材を有するコネクタＣＮ１は、まずケーブルＣ内の被覆電線１をそれぞれ芯線１１が剥き出した状態とし、剥き出された芯線１１が各ピン２１に設けられる圧着部２１ａでそれぞれ圧着挟持される。これにより、被覆電線１とコンタクト２とが電気的に接続した状態となる。なお、シース１４の先端部においても被覆が剥がされてシールド線１３が露出した状態となっている。
【００２４】
そして、圧着部において芯線と接続された４本のピンの係止片２１ｂを上ハウジング３１の下面側から係止孔３１ｂに係止される。このとき同時に、ピンの圧着部２１ａが圧着部受容部３１ａに、先端部２１ｃが先端受容部３１ｃに、圧着部２１ａから先端部２１ｃに延びる中間片２１ｄがピン受容溝３１ｄにそれぞれ受容される。このようにしてケーブルＣと組み付けられた上ハウジング３１を下ハウジング３２に嵌め合わせることにより、コンタクト２がハウジング３に整列して保持された状態となる。また、各ピン２１の後端から延びる絶縁被覆１２で被覆された状態の被覆電線１のそれぞれが一部ハウジング３内に収容されるように上下ハウジング３１，３２が嵌め合わされて構成されている。
【００２５】
コンタクト２をハウジング３内に保持した状態とし、これを下シェル４２の前部に設けられた収容空間内に挿入する。この挿入過程で上下ハウジングの突出部３１ｅ，３２ｅが下シェル４２の上下面に設けられたルーバ部４２ｅ，４２ｅに収容されることにより、ハウジング３が下シェル４２内で位置固定される。
【００２６】
次いで、上シェル４１を上記の組付手段によって下シェル４２と組み付ける。そして、下シェル４２の後部に左右に延びて設けられた圧着片４２ｄを例えばアプリケータ等の圧着機を用いて図示する形状に折曲変形することにより、上シェル４１の後端に突出して設けられる突出片４１ｄを巻き込むようにしてケーブルＣが圧着される。この圧着により外方に露出した状態のシールド線１３とシェル４とが接続されてケーブルＣの静電遮蔽が行われる。
【００２７】
さらに、外ハウジング５がオーバーモールドによって、シェル４の前端部４ａを露出させるとともに、外ハウジング後端のチューブ５ａが圧着片４１ｄを覆うようにして設けられる。このようにして、図１の斜視図に示すようなコネクタＣＮ１が形成される。
【００２８】
このコネクタＣＮ１のシェル４の前端部４ａを、図３（ｂ），図４に示すようにリセプタクル１００の挿入口１０１に挿入すると、挿入口１０１内部に設けられて上下方向に揺動可能に取り付けられた弾性接触部１０２が上ハウジング３１の下側に潜り込み、上ハウジング３１の下面に取り付けられた状態のピン２１と接触して本考案に係るコネクタＣＮ１がリセプタクル１００と電気的に接続状態となる。
【００２９】
このように構成される本考案に係るコネクタＣＮ１においては、従来の圧着接続で用いられていた圧着部をコンタクト２の根元部に設けず、ピン２１のそれぞれに上方に突出した係止片２１ｂを設け、これら係止片を上ハウジングに設けた係止孔３１ｂにそれぞれ係止させることによりピンをハウジング内に平行整列状態で保持している。このように、芯線が被覆された状態の被覆電線を挟持固定するための圧着部を設けない構成により、圧着部を設けるために確保していた寸法を省略して設計することができ、ピン整列方向のサイズ狭小化を図ることができる。また、ハウジング３内には絶縁被覆１２を被覆した状態の被覆電線１をそれぞれ保持する構成としているため、上記圧着部を設けず構成してもしっかりとコンタクトをハウジングに固定した状態とすることができる。
【００３０】
さらに、本考案に係るコネクタは小型化、狭ピッチ化を図るにあたって機械的な方法のみで接続、固定を行う構成としており、工数が増加するとともに不良率が比較的高くなりがちで品質管理が困難な半田付け工程を必要としていない。以上から本考案に係るコネクタの構成により、小型化を可能とするとともに、工数を削減し、不良率を低減させてコネクタを製造することができる。
【実施例２】
【００３１】
続いて、第２の実施例について図５〜図８を参照して以下説明する。図５〜図８は、それぞれ上記実施例の図１〜図４に対応している。図５に示すＵＳＢケーブルＵ２は、上記実施例と同様のケーブルＣの一端に上記実施例と同様のＵＳＢコネクタＣＮ１０を備え、他端に本実施例のコネクタＣＮ２を備えており、ケーブルＣに上記実施例と同様にして円筒状のノイズフィルタＦを介設して構成される。
【００３２】
コンタクト７は、上記実施例と同様の材料、成型手段により成型される４本のピン７１，７２からなり、ピン７１は係止片７１ｂの突出方向が下方とされ、ピン７２は係止片７２ｂの突出方向が上方とされる。このような状態とされるピン７１には芯線１１を圧着保持するための圧着部７１ａがピン上面に設けられており、ピン７２にはピンの下面に同様の圧着部７２ａが設けられる。さらに本実施例においては、係止片７１ｂと先端部７１ｃとのピンの中間片７１ｄは図示するように屈曲されて延びるように形成されており、先端部７１ｃが屈曲して爪状に形成されている。
【００３３】
上記ピン７１，７２を収容するハウジング８は、略矩形筒体が上下２分割されたようにして同形状に形成される上ハウジング８１と下ハウジング８２とを組み合わせて構成されており、上記実施例の上下ハウジング３１，３２と同様に例えばＰＢＴ樹脂等の絶縁材を射出成型等の成型手段を用いて成型される。また、上下ハウジング８１，８２を組み合わせることにより形成される矩形筒状の中空部には、矩形平板部を有してこの平板部の上下両面にそれぞれ凹状に形成されてピンの圧着部７１ａ，７２ａを受容する圧着部受容部８３ａが設けられるとともに、ピンの係止片７１ｂ，７２ｂを係止させる係止孔（請求の範囲の「収容部」に相当）８３ｂを設けて形成される固定部材８３の後部を介設するようになっている。この固定部材８３はさらに、矩形平板部の上下両面に前後方向に延びてピンの中間片７１ｄ，７２ｄを収容するピン受容溝８３ｄ，８３ｄ、屈曲した爪状のピン先端部７１ｃ，７２ｃを収容するための先端収容部８３ｃ，８３ｃがピン受容溝８３ｄの先端に形成されている。なお、上ハウジング８１の上面及び下ハウジング８２の下面には、側断面視台形状の突出部８１ｅ，８２ｅ（図７参照）が設けられている。
【００３４】
シェル９は、略矩形筒状に形成されてなる収容空間とこの収容空間の後端に左右に延びる圧着片９１ｄとを一体に設ける上シェル９１に、底面および左右側壁を有するとともに底面後端から後方に突出する突出片を設けて形成される下シェル９２を嵌め込んで構成されており、両シェル９１，９２ともに、上記実施例の上下シェル４１，４２と同様にして、例えば鋼等の金属材にニッケル等を鍍金してプレス加工等の加工成型手段を施すことにより成型される。なお、上シェル９１の左右側壁に設けられた係合突部９１ａ，９１ｂ（反対側壁の図示略）を下シェル９２の左右側壁に設けられた矩形状の収容孔９２ａ，９２ｂ（同略）を係合させ、上シェル９１の下面に設けたスリット９１ｃに下シェル９２の前端辺を上方に折曲して設けた係止爪９２ｃを係止させることにより組付が行われる。また、上シェル９１の上面及び下面のそれぞれには、上ハウジング８１の突出部８１ｅおよび下ハウジング８２の突出部８２ｅをちょうど収容させるために切り起こされてルーバ部９１ｅ，９１ｅが設けられている。
【００３５】
上記構成部材を有するコネクタＣＮ２は、まずケーブルＣ２内の被覆電線１をそれぞれ芯線１１が剥き出された状態とし、剥き出された芯線１１が各ピン７１，７２に設けられる圧着部７１ａ，７２ａに圧着挟持される。これにより、被覆電線１とコンタクト７とが電気的に接続した状態となる。なお、シース１４の先端部においても被覆が剥がされてシールド線１３が露出した状態となっている。
【００３６】
芯線１１と接続された４本のピン７１，７２を、固定部材８３の上下両側に２本ずつそれぞれ保持させる状態とする。ピン７１，７１の圧着部を固定部材の上面側に設けた圧着部受容部８３ａに受容させ、下方に突出する係止片７１ｂを同じく上面に設けた係止孔８３ｄに係止させ、ピンの中間片７１ｄを同じく上面に設けた係止溝８３ｄに収容させる。同様にしてピン７２，７２は、圧着部を固定部材の下面側に設けた圧着部受容部８３ａに受容させ、上方に突出する突出片７２ｂを同じく下面に設けた係止孔８３ｂに収容させるとともに、ピンの中間片７２ｄを同じく下面に設けた係止溝８３ｄに収容させる。このようにして芯線１１と接続した状態のピン７１，７２を保持する固定部材８３の後部を挟み込むようにして上下ハウジング８１，８２を組み合わせることにより、ハウジング８内にピン７１，７２を上下２列に整列した状態の固定部材８３の後部が介設され、ハウジング８の前端面から固定部材８３の前部が前方に突出した状態となる。また、各ピン７１，７２の後端から延びる絶縁被覆１２で被覆された状態の被覆電線１のそれぞれが一部ハウジング８内に収容されるように上下ハウジング８１，８２が組み合わされて構成されている。
【００３７】
コンタクト７をハウジング８内に保持した状態とし、これを上シェル９１の前部に設けられた収容空間内に挿入する。この挿入過程で上下ハウジングの突出部８１ｅ，８２ｅが上シェル９１の上下面に設けられたルーバ部９１ｅ，９１ｅに収容されることによってハウジング８が上シェル９１内で位置固定される。
【００３８】
次いで、下シェル９２を上記の組付手段によって上シェル９１と組み付ける。そして、上シェル９１の後部に左右に延びて設けられた圧着片９１ｄを圧着機を用いて図示する形状に折曲変形させることにより、下シェル９２の後端に突出して設けられる突出片９２ｄを巻き込むようにしてケーブルＣが圧着される。この圧着により外方に露出した状態のシールド線１３とシェル９とが接続されてケーブルＣの静電遮蔽が行われる。
【００３９】
さらに、外ハウジング１０がオーバーモールドにより、シェル９の先端部９ａが露出するとともに、外ハウジングの後端のチューブ１０ａが圧着片９２ｄを覆うようにして設けられる。このようにして、図５の斜視図に示すようなコネクタＣＮ２が形成される。
【００４０】
このコネクタＣＮ２のシェル９の前端部９ａを、図７（ｂ），図８に示すようにリセプタクル２００の挿入口２０１に挿入すると、挿入口２０１内部の上下２箇所にそれぞれ設けられる上下方向に揺動可能な弾性接触部２０２のうち、上方接触部２０２ａが上ハウジング８１と固定部材８３の上面との間に潜り込んで固定部材８３の上面側に保持されたピン７１，７１と接触し、下方接触部２０２ｂが下ハウジング８２と固定部材８３の下面との間に潜り込んで固定部材８３の下面側に保持されたピン７２，７２と接触し、本考案に係るコネクタＣＮ２がリセプタクル２００と電気的に接続状態となる。
【００４１】
このようにして構成される本実施例におけるコネクタＣＮ２においても、上記実施例と同様にして従来コンタクト根元部に一体であった圧着部を設けない構成のため、確保していた寸法を省略することができ、従来よりもピン整列方向に対するサイズが小型化、狭ピッチ化したコネクタを提供することができる。また、半田付け工程を必要としない構成であるため、不良率を低減させてコネクタを製造することができる。さらに同様にしてハウジング８内には、絶縁被覆１２を被覆した状態の被覆電線１をそれぞれ保持する構成としているため、上記圧着部を設けず構成してもしっかりとコンタクトをハウジングに固定した状態とすることができる。
【００４２】
また、ハウジング内に固定部材を介設し、この固定部材の上下２面にピンを固定してピンを上下２列に配設する構成のため、ピン整列方向に対してコネクタ全体のサイズを小型化することが可能となる。
【実施例３】
【００４３】
続いて、第３の実施例について図９の斜視図を参照して以下説明する。本構成のコネクタＣＮ３においても、実施例２と同様に上下の半体を組み合わせてなるハウジングに固定部材を介設することによって複数のピンを上下２列に整列させて構成している。なお、用いるケーブルは実施例１と同様の、４本の被覆電線１を有して構成されるケーブルＣである。
【００４４】
図９に示すコネクタのコンタクト７は、４本のピン７６，７７の後端側が十字状に形成されることによって左右方向に延びる係止片７６ｂ，７７ｂが設けられており、先端側が後端側よりも幅狭に形成されている。また、各ピン７６，７７の下面には芯線１１を圧着するための圧着部７６ａ，７７ａが設けられている。
【００４５】
また、ハウジングは、上記各実施例と同様にして上下ハウジング８６，８７を組み合わせて構成されており、本実施例においては上下ハウジング８６，８７が同形状に形成されている。上下ハウジング８６，８７は、略矩形筒体が上下２分割されたように形成されており、両ハウジング内８６，８７には複数の仕切り８６ｉ，８７ｉが突出して設けられて複数本のピン（本実施例では３本）を１本ずつ収容するピン収容部８７ｊ（上ハウジング８６側は図示略）が形成されている。また、それぞれのピン収容部８７ｊにおいて前端側と後端側が末広がりとなるようにして仕切り８６ｉ，８７ｉが設けられている。さらに、左右両端の一端に上方（下方）に突出するボス８６ｇ，８７ｇが設けられているとともに、他端側にこのボスにちょうど嵌合する嵌合孔８７ｈ（同図示略）が設けられており、四隅が鉤状に形成されて係合部８６ｆ，８７ｆが設けられている。
【００４６】
固定部材８８は図示するように、それぞれ内方に前後方向に延びるピン受容溝８８ｄが形成されており、このピン受容溝８８ｄに連通して後端面まで貫通する貫通孔（図示せず）がピン受容溝８８ｄよりも幅広に形成されている。また、この後端面側には後方に突出してプレート部８８ｐが形成されており、左右側壁には、上下ハウジングの係合部８６ｆ，８７ｆと係合する鉤受け部８８ｆが設けられている。
【００４７】
シェルは、上記各実施例と同様に上下のシェル９６，９７を嵌め合わせて構成されており、この嵌め込みの際に、上シェル９６の左右側面に設けた係合孔９６ａ，９７ｂに下シェルの左右側面に内方に突出して設けた係合突起９７ａ，９７ｂに係合させ、上シェル９６の下面に下方に突出して設けられた係止爪（図示略）を下シェル９７の底面前側に設けたスリット９７ｃに係止させることにより、上下のシェル９６，９７が組み合わされる。
【００４８】
このようなコネクタは、まず各ピンの圧着部に芯線１１を圧着挟持させてケーブルＣとコンタクトとを接続状態とされる。次いで、ケーブルＣが接続された各ピンを固定部材のプレート部８８ｐに対して上方側に２本、下面側に２本となるようにしてプレート部８８ｐが突出する後端面側から貫通孔に圧入し、前部に設けられたピン受容溝８８ｄにピンの先端片７６ｄ，７７ｄを受容させることにより、ピン７６，７７が固定部材８８に取り付けられる。このとき、先端片７６ｄ，７７ｄよりも幅広の十字部前端片７６ｅ，７７ｅが貫通孔内に収容される。
【００４９】
次いで、上下ハウジング８６，８７のそれぞれ係合部８６ｆ，８７ｆを固定部材の鉤受け部８８ｆに係合させるとともに、上下ハウジングに互いに設けられたボスと嵌合孔を係合させ、固定部材のプレート部８８ｐを挟み込むようにして組み合わされる。このとき、プレート部８８ｐの上下両面にそれぞれ２本ずつ配設されているピンを上下ハウジング８６，８７のピン収容部８７ｊにそれぞれ収容するように取り付けられる。また、末広がり状に形成されるピン収容部８７ｊの前端部８６ｂ，８７ｂにおいては十字状に形成されるピンの左右方向に延びる辺である係止片７６ｂ，７７ｂがそれぞれ収容され、後端部においては絶縁被覆１２で被覆された状態の被覆電線１がそれぞれ収容される。
【００５０】
このようにピン７６，７７、上下ハウジング８６，８７、および固定部材８８が取り付けられた状態として、上シェ９６ルの前端部に設けられた収容空間に収容し、下シェルを上シェルに取り付け、下シェル９７の後端に左右に延びて設けられた圧着片９７ｄを圧着機を用いて図示する形状に変形することにより上シェルの突出片９６ｄを巻き込んでシールド線１３を外周側から圧着し、外ハウジング１０’をオーバーモールドによって上シェル９６の前端部が露出した状態とするとともに、後端に設けられたチューブ部１０’ａが圧着片の外側を覆うように設けることにより、本構成のコネクタが形成される。
【００５１】
本構成のコネクタにおいても、ピン根元部にケーブルを圧着固定するための圧着部を省略してケーブルとコンタクトとを接続し、コンタクトとハウジングとをしっかりと固定した状態でコネクタを構成することができるとともに、半田付け工程を必要とせず不良率を低減させることができるなど、上記各実施例と同様の効果を得ることができる。さらに実施例２と同様にハウジング内に固定部材を介設し、この固定部材の上下２面にピンを固定して複数のコンタクトを上下２列に配設する構成のため、ピン整列方向に対してコネクタ全体のサイズを小型化することが可能となる。
【００５２】
なお、上記各実施例においてはそれぞれのコネクタにおいて、コンタクトの本数を４本として構成したがこれに限られず、ピン状のコンタクトを複数整列させる形態のコネクタであれば同様にして適用可能であり、例えば、４本以上のピンを整列させて保持して構成されるコネクタにおいても同様に適用して同様の効果を得ることができる。
【図面の簡単な説明】
【００５３】
【図１】第１実施例における本考案に係るコネクタを備えるケーブルの外観斜視図である。
【図２】第１実施例における本考案に係るコネクタの分解斜視図である。
【図３】第１実施例における本考案に係るコネクタの断面図である。
【図４】図３中の矢印IV−IV方向に見た断面図である。
【図５】第２実施例における本考案に係るコネクタを備えるケーブルの外観斜視図である。
【図６】第２実施例における本考案に係るコネクタの分解斜視図である。
【図７】第２実施例における本考案に係るコネクタの断面図である。
【図８】図７中の矢印VIII−VIII方向に見た断面図である。
【図９】第２実施例における変更例について示す本考案に係るコネクタの分解斜視図である。
【符号の説明】
【００５４】
ＣＮ１，ＣＮ２，ＣＮ３  コネクタ
Ｃ  ケーブル
１，６  被覆電線
２，７  コンタクト
３，８  ハウジング
１１，６１  芯線
２１，７１，７２，７６，７７  ピン
２１ｂ，７１ｂ，７２ｂ，７６ｂ，７７ｂ  係止片
３１，８１，８６  上ハウジング
３１ｂ  係止孔（収容部）、８６ｂ  （ピン収容部の）前端部
３２，８２，８７  下ハウジング
８３，８８  固定部材
８３ｂ  係止孔（収容部）
【図１】
0003104536.tif 000003
【図２】
0003104536.tif 000004
【図３】
0003104536.tif 000005
【図４】
0003104536.tif 000006
【図５】
0003104536.tif 000007
【図６】
0003104536.tif 000008
【図７】
0003104536.tif 000009
【図８】
0003104536.tif 000010
【図９】
0003104536.tif 000011